Podtech/llm-jp-corpus-v4-ja_patent huggingface dataset:
(57)【要約】【課題】  ヨーグルトを発酵させる容器で発酵終了後容器を冷蔵するのに手間がかかる。【解決手段】  ヨーグルトを発酵させる容器で、容器を冷蔵庫に入れて使えるようにすることにより容器を冷蔵庫に移す手間が省ける【特許請求の範囲】
【請求項１】
牛乳の温度を一定に保つ為、冷蔵庫のドアーポケットに入れて用いる事の出来るヒーター付きヨーグルト発酵容器
【請求項２】
牛乳の温度を一定に保つ為、冷蔵庫の中に入れて用いることの出来るヒーター付きヨーグルト発酵容器
【請求項３】
冷蔵庫内から引き出す線が隙間が出来ず、いたまない様、コード取り出し部品を用いたヒーター付きヨーグルト発酵容器
【請求項４】
タイマーを取付自動的に発酵を止め、冷蔵温度に入るようにした請求項１，２，３のヨーグルト発酵容器
【請求項５】
容器を２重にし、容器ごと中のヨーグルトを取り出せるようにした請求項１，２，３，４の発酵容器
【発明の詳細な説明】
【発明の詳細な説明】
【技術分野】
【０００１】  この発明は、家庭内でヨーグルトを発酵させるとき、用いる装置に関する発明である。
【背景技術】
【０００２】  従来は家庭内でヨーグルトを発酵させるときは、牛乳に種菌を混ぜることにより発酵が始まる。
常温で発酵する菌の場合、そのままおいておけば、固まりヨーグルトとなる。
室温が夏、冬で発酵温度に合わない場合、温度制御された専用の容器で発酵させる場合もある。
高温で発酵する菌の場合は、鍋をコンロにかけたり、専用の温度制御された容器で発酵させる。
【発明が解決しようとする課題】
【０００３】  カスピ海ヨーグルトの場合適温が１５℃ないし３０℃と比較的低い為、夏では逆に温度を下げなければならず、夏失敗したり、発酵が進みすぎ、酸っぱくなったりしやすい問題があった
冬の場合は簡単なヒーター付きの装置でよいが、夏の場合逆に温度を下げなければならず、大がかりな装置が必要であった。
発酵が終了したまま、高い温度でおいておくと、発酵が進みすぎ、酸っぱくなったり、腐敗したりする。
ヒーター付きのヨーグルト発酵容器では、発酵が終了した時点で、ヒーターを止め冷蔵庫に移すなどの作業が必要であった
【課題を解決するための手段】
【０００４】  本発明では容器を冷蔵庫内において使い、発酵終了時にヒーターの電源を切る。
【発明を実施するための最良の形態】
【０００５】  本発明では容器を冷蔵庫内において使い、発酵終了時にヒーターの電源を切ることにより、そのままで冷蔵温度に入り、容器の中のヨーグルトを冷蔵庫に移す必要もなく、簡単で失敗のないヨーグルトが作れるようになった。
また冷蔵庫内の温度は四季を通じて、一定なので、ヒーターにサーモスタットをつけなくても一定の温度に出来る。
請求項４のようにヒーターの電源を切るのにタイマーを用いれば自動的に発酵終了時に、保存温度になり、なおさら失敗がない
請求項３の図２の部品をドアーの閉じる部分に両面テープで貼り付けて使い、コードを冷蔵庫内から引き出すことにより、ドアの開け閉めによりコードが痛まず、ドアーからの空気の漏れも少なくできる
【発明の効果】
【０００６】このようにすれば、四季を通じ、簡単な装置でヨーグルトを、失敗がなく、理想なな状態で作ることが出来る
【図面の簡単な説明】
【図１】本発明の側面図
【図２】コード取りだし部品の上面図
【図３】コード取りだし部品の側面図
【符号の説明】
１  は牛乳
２  はヒーター
３  は発酵容器
４  は断熱材
５  内側容器
６  はコード取り出し部品
７  は両面テープ
８  は電源コード
【図１】
2005185267.tif 000002
【図２】
2005185267.tif 000003
【図３】
2005185267.tif 000004
(57)【要約】【課題】      幹糸から多数の枝針を延出させた釣り用仕掛を係合させる台紙にあって、幹糸と釣り針とを結ぶハリスや結び目に捩じれ癖をつけることなく、台紙から仕掛を取り外した場合、釣り針の針先が幹糸方向を向いた状態となるようにすることを目的とする。【解決手段】  板片の上方側に、釣り針のフトコロ側に差し入れ得る舌片を形成するとともに、釣り針を掛け止めた場合、舌片の両側部によって釣り針の軸部の二個所位置を押圧支持し得る構成の針掛け部を形成したことを特徴とする仕掛係合具。【選択図】    図１
2005185136.tif 000002
【特許請求の範囲】
【請求項１】
板片２の上方側に、釣り針３のフトコロ側３ａに差し入れ得る舌片４を形成するとともに、釣り針３を掛け止めた場合、舌片４の両側部によって釣り針３の軸部の二個所位置を押圧支持し得る構成の針掛け部５を形成したことを特徴とする仕掛係合具。
【発明の詳細な説明】
【技術分野】
【０００１】
この発明は、幹糸から複数の枝針を延出させた構成の釣り用仕掛を係合させる台紙の改良に関するものである。
【背景技術】
【０００２】
幹糸から複数の枝針を延出させた構成の釣り用仕掛を販売するに際しては、仕掛全体を台紙に係合させた状態とした後、透明の袋に収容した形でなされるのが普通であるが、従来使用されている台紙は、長方形の紙片の上方側に、「Ｖ」字状の切り込み部を多数形成した針掛板を取り付けるとともに、台紙の下端部に糸止め部を形成した構成となっており、仕掛を係合させるに際しては、各釣り針を針掛板の凹部に掛け止めた後、幹糸を台紙の下方側に導いて糸止部に挟み入れて順次固定するという方法で行なわれているのである。
【０００３】
しかし、「Ｖ」字状の切り込み部を形成した針掛板を台紙の表面に取り付けた構成とし、その「Ｖ」字状の凹部に釣り針を掛け止めた場合、台紙面に対して釣り針の曲がり部が沿わず、斜めに捩じれた状態となって掛け止められることになるのである。そのような形で仕掛が台紙に長時間係合されたままの状態になった場合、幹糸と釣り針とを結ぶハリスや結び目に捩じれ癖をつけることになり、台紙から仕掛を取り外した場合、釣り針の針先が幹糸方向を向かず、横斜め方向や下側に向いて垂れ下がった形になり、その結果、魚への掛りを悪くすることになるのである。
【発明の開示】
【発明が解決しようとする課題】
【０００４】
この発明は、幹糸から多数の枝針を延出させた構成の釣り用仕掛を長期間にわたって係合させた場合でも、ハリスや幹糸との結び目に捩じれ癖を付けることがない台紙を提供しようとするものである。
【課題を解決するための手段】
【０００５】
この発明は、幹糸から多数の枝針を延出させた釣り仕掛を係合させるための台紙にあって、板片の上方側に、釣り針のフトコロ側に差し入れ得る舌片を連続して配置するとともに、釣り針を係合させた場合、舌片の両側部によって釣り針の二点位置を押圧支持し得る構成の針掛け部を形成し、それによって台紙に仕掛を係合させた場合における枝針の捩じれ癖の発生を防止しようとするものである。
【発明の効果】
【０００６】
この発明に係る台紙の掛け止め部に釣り針を掛け止めた場合、釣り針の曲がり部が台紙面に沿った状態で保持され、仕掛を台紙から外した場合、図１に示すによう、釣り針の針先が幹糸の方向を向いた状態となり、魚への掛りを良くし、魚が不用意に外れるのを防止し得るという利点があるのである。
【０００７】
また、従来の台紙のように、釣り針を「Ｖ」字状の凹部に掛け止めるように形成した場合、幹糸の緩みにより、釣り針が凹部から外れて釣り針が絡んだり、釣り針の向きが乱れた状態になって、商品価値を低下させることになるのであるが、この発明に係る台紙にあっては、舌片によって釣り針のフトコロ側の二点が押えられた状態で保持される結果、釣り針が針り掛け部から外れたり、向きが変わったりすることなく、台紙の表面に沿って整然とした状態で保持されることになり、仕掛の商品価値を向上させ得るという利点があるのである。
【実施例】
【０００８】
図面にもとづいて、この発明の実施例を説明すると、仕掛係合具本体１は、図１ないし図３に示すとおり、板片２の上方側に、釣り針３のフトコロ側に差し入れ得る舌片４を形成するとともに、釣り針３を掛け止めた場合、舌片４の両側部によって釣り針３の二点位置を押圧支持し得る構成の針掛け部５を形成した構成となっているのである。
【０００９】
すなわち、板片２は、その上方両側位置に、針掛け止め片６の両端部を差し入れ得る切り込み部７・７を打ち抜き形成し、該切り込み部７・７に、掛け止め片６の両側部を差し入れて固定することによって、板片２の上方側に針掛け部５を形成する構成となっており、また、板片２には、幹糸８を係止させるための糸止部９・・・が形成された構成となっているのである。
【００１０】
掛け止め片６は、透明のアクリル板を横長状に裁断するとともに、上方側から下方側に向けて切り込み部１０・・・を形成することによって、釣り針３のフトコロ側に差し入れ得る形の舌片４を横並び状に配置形成した構成となっており、釣り針３のフトコロ側に舌片４を差し入れた場合、舌片４により、釣り針３の軸部の二箇所を押圧し、掛け止め片６の表面に釣り針３の曲がり部が沿った状態となって支持させ得る構成となっているのである。
【００１１】
掛け止め片６は、上記のような構成となっており、その両側部を板片２に形成した切り込み部７・７にそれぞれ差し入れることによって、板片２の上方側に固定され、板片２に釣り針３の二点位置を押圧支持し得る構成の針掛け部５が形成されることになるのである。
【００１２】
上記は、板片２に掛け止め片６を取り付けることによって、針り掛け部分５を形成した場合の実施例であるが、図４に示すように、板片２の上方付近に、上方側から下方側に向けて切り込み部１０・・・を形成することによって、釣り針３のフトコロ側に差し入れ得る形の舌片４を横並び状に配置形成した構成とすることも可能である。
【００１３】
また、図５に示すように板片２の上方付近に窓状の打ち抜き部１１を形成し、その打ち抜き部１１の下辺部に切り込み部１０・・・を形成することによって、釣り針３のフトコロ側に差し入れ得る形の舌片４を横並び状に配置形成した構成とすることも可能である。
【図面の簡単な説明】
【００１４】
【図１】仕掛の構成を示す正面図である。
【図２】係合具に仕掛を係合させた状態を示す斜視図である。
【図３】係合具の構成を示す斜視図である。
【図４】係合具の別実施例を示す斜視図である。
【図５】係合具の別実施例を示す斜視図である。
【符号の説明】
【００１５】
１    仕掛係合具本体
２    板片
３    釣り針
３ａ  フトコロ側
４    舌片
５    針掛け部
【図１】
2005185136.tif 000003
【図２】
2005185136.tif 000004
【図３】
2005185136.tif 000005
【図４】
2005185136.tif 000006
【図５】
2005185136.tif 000007
(57)【要約】      （修正有）【課題】喫煙時の煙草の臭気や煙を効果的に吸収するとともに、味をほとんど落とさず煙草を消火でき、しかも、消火後の二度吸いの時にも煙草の味の劣化を防止できる簡素な構造の灰皿を提供する。【解決手段】乾燥した１−２ｍｍ径の粒状のヤシガラ活性炭１２を体積率で、２／３以上、１以下含む消火防臭剤を底部が網状の容器１１に蓄えて消火防臭部１とし、この消火防臭部１を吸殻収容部２の上部に嵌め合わしたことを特徴とする灰皿である。【選択図】  図１
2005185134.tif 000002
【特許請求の範囲】
【請求項１】
ヤシガラ活性炭を体積率で、２／３以上、１以下含む消火防臭剤を蓄えた消火防臭部を有することを特徴とする灰皿。
【発明の詳細な説明】
【技術分野】
【０００１】
本発明は、喫煙時に使用する灰皿に関する。
【背景技術】
【０００２】
近年、煙草の有害性がますます警鐘され、喫煙者には周囲の人に悪影響を及ぼさないような喫煙マナーが強く要望されている。このため、公共の場においては喫煙場所の限定などの措置がとられているが、一方、煙草の煙や臭気を減少できる灰皿が各種提案されている。
これらの灰皿のうち、活性炭など無機粒状体を蓄えた、臭気を減少しかつ簡単に消火できる灰皿が提案されている（例えば、特許文献１参照）。また、同様の効果を持つ粒状消臭剤（天然沸石からできたゼオライト）の中に混入した灰を分別除去しやすくするために、網状の容器に粒状消臭剤を入れた灰皿が提案されている（例えば、特許文献２参照）。
しかし、煙草も近年高価になり、また、ますます喫煙マナーの向上が求められる中、喫煙の経済性とマナー向上の両立という観点からは、後述するように、これら従来の灰皿では不十分な点があった。
【０００３】
【特許文献１】特開平２−１１３８７９号公報（第１頁、図１）
【特許文献２】特開平８−３３６３７９号公報（第２頁、図１）
【発明の開示】
【発明が解決しようとする課題】
【０００４】
喫煙者は、まず喫煙マナーの向上に留意するが、経済的に喫煙したいという願望もある。
喫煙者の欲求は、例えば、煙管できざみを吸うごとく、２，３服喫煙すれば満足されることが多い。この点、紙巻煙草は量が多いため、２，３服吸っただけで捨ててしまうか、惰性でさらに吸っていくか、どちらかである。後者の場合には、余計な煙や臭気を発生させ周囲の人に悪影響を及ぼすし、本人にもよくない。
前者の場合には、不経済である。吸いかけの煙草を一旦消し、二度吸いすることもあるが、もみ消したものは、味が落ちて二度吸いに耐えない。したがって、二度吸い時の煙草の味の劣化を防止できれば、経済的に喫煙ができることになる。
本発明は、経済的な喫煙と喫煙マナーの向上を両立できる灰皿を提供するためになされたものである。
【課題を解決するための手段】
【０００５】
本発明は、ヤシガラ活性炭を体積率で、２／３以上、１以下含む消火防臭剤を蓄えた消火防臭部を有することを特徴とする灰皿である。
【発明の効果】
【０００６】
本発明の灰皿は、二度吸いができるよう味がほとんど劣化することなく消火でき、かつ喫煙時の煙や臭気を吸収できるもので、さらに簡素な構造であるために安価に製作できるものである。
【発明を実施するための最良の形態】
【０００７】
ヤシガラ活性炭を体積率で、２／３以上、１以下含む消火防臭剤を蓄えた消火防臭部を有することを特徴とする灰皿とした。
【実施例１】
【０００８】
以下、図面に基づき、この発明の実施の形態を説明する。
【０００９】
図１、図２は、本発明の灰皿を示す図であり、消火防臭部１が吸殻収容部２の上部に嵌め合わされている。
消火防臭部１は、底部が網状の容器１１と、その中に消火防臭剤として蓄えられた、乾燥した１−２ｍｍ径の粒状のヤシガラ活性炭１２からなっている。
吸殻収容部２は、周囲に4箇所の受け部２１が設けられた容器である。受け部２１は、喫煙後の消火した吸殻を吸殻収容部２の中に捨てるための投入口となるし、喫煙中の煙草の仮置き場所ともなる。
【００１０】
以上の構成とすることによって、本発明の灰皿は以下のように機能する。
喫煙中の煙草は吸殻収容部２の受け部２１に仮置きできる。この時発生している煙や臭気は上方に移動し、網目を通してヤシガラ活性炭１２内で吸収される。
喫煙で発生した灰は、受け部２１を通して吸殻収容部２内に捨てられても良いし、ヤシガラ活性炭１２の中に捨てられても良い。
喫煙を終了あるいは中断する時には、煙草をヤシガラ活性炭１２の中に突っ込み消火する。
喫煙終了後は、吸殻を受け部２１を通して吸殻収容部２内に捨てる。吸殻から発生する臭気は上方に移動し、網目を通してヤシガラ活性炭１２内で吸収される。
喫煙を中断する時は、煙草をヤシガラ活性炭１２の中に突っ込んだままにしておく。この間の煙草の臭気はヤシガラ活性炭１２内で吸収される。ヤシガラ活性炭１２は乾燥しているので再びこの煙草を吸う時には容易に着火できる。
６．ヤシガラ活性炭１２内に灰が増加してくると、煙の吸収効果や消臭効果が減少するので、灰を除く。吸殻収容部２から消火防臭部１を外し、ヤシガラ活性炭１２が入ったまま上方から水洗いをする。容器１１の底部を網状にしているので、灰だけが流し落とされ、ヤシガラ活性炭１２だけが残る。ヤシガラ活性炭１２は乾燥後再び使用される。
【００１１】
以上のように本発明の灰皿は使用されるが、特許請求の範囲に記した条件とすることによって、以下に示すように、二度吸い時の煙草の味の劣化防止効果を最大限に発揮できる。
【００１２】
消火防臭部１に、ヤシガラ活性炭を体積率で、２／３（約６７％）以上、１（１００％）以下含む消火防臭剤を蓄えること。煙草の臭気や煙の吸収を可能にするとともに、味を落とさず煙草を消火できるので二度吸いを可能にする。二度吸い時の煙草の味を調べたところ、もみ消した時よりは例えば天然沸石からできたゼオライトなどの多孔質の吸着物質で消火した時の味がよく、さらには活性炭で消火した時の味が良いが、中でもヤシガラ活性炭で消火した時の味が抜群に良いことが分かった。そして、この味の劣化防止効果は、ヤシガラ活性炭が消化防臭剤中、体積率で２／３以上あれば確保できることも分かった。なお、消化防臭剤の残部は、例えば天然沸石からできたゼオライトなどでよい。
【００１３】
なお、消火防臭部１には通常の皿状容器を用いればよいが（この場合には、ヤシガラ活性炭１２内の灰は、該容器内あるいは別の容器に移して水洗して分別除去すればよい）、前記実施例のごとく、底部を網状としておき、吸殻収容部２の上部に嵌め合わしていると、吸殻収容部２内に捨てられた吸殻の臭気がヤシガラ活性炭１２に導かれて吸収できるのでより好ましい。
【００１４】
本発明の灰皿は、以上の点に大きな特徴を有するものであるが、さらに構造が非常に簡素なものであるために安価に提供できるものである。
【図面の簡単な説明】
【００１５】
【図１】本発明の灰皿を示す斜視図である。
【図２】本発明の灰皿を示す正面図である。
【符号の説明】
【００１６】
１        消火防臭部
１１      容器
１２      ヤシガラ活性炭
２        吸殻収容部
２１      受け部
【図１】
2005185134.tif 000003
【図２】
2005185134.tif 000004
(57)【要約】【課題】    本発明は、蟻他地中で生息する生物が植物に与えるアブラムシ、ヨトウムシ、カイガラムシの被害を排除することが可能とする。【解決手段】  本シートの持つ、遠赤外線効果、マイナスイオン効果が地中に棲む虫たちの絶好の棲家となる。植物に害を与えるアブラムシ、ヨトウムシ、カイガラムシは地中に棲む（いる）虫にアブラムシ、ヨトウムシ、カイガラムシ等害虫の幼虫が地中に生息する虫の体、足などに付き、地中から植物の茎、幹、葉などにつく。地中に生息する虫達の絶好の住処を与えることで、植物に虫たちが上らなくする。その効果が、植物の茎、幹、葉に害虫の幼虫の付着を防ぐ。今まで、地中に生息する虫の侵害を防ぐことが出来なかった為、植物にアブラムシ、ヨトウムシ、カイガラムシの幼虫がつき植物が害虫に侵された。本発明は、虫の侵害を防ぐことで、害虫の被害を避ける発明である。【選択図】  図１
2005185131.tif 000002
【特許請求の範囲】
【請求項１】
合成樹脂製の発泡シートに特殊炭の粉末を混入して成る特殊炭混入発泡シート。
【発明の詳細な説明】
【技術分野】
【０００１】
本発明は、蟻他地中で生息する生物が植物に与えるアブラムシ、ヨトウムシ、カイガラムシの被害を排除することが可能になる。
【背景技術】
【０００２】
本シートには遠赤外線効果がある。富山県工業技術センター計測。
本シートにはマイナスイオン効果がある。財団法人日本紡績検査協会近畿事業所計測。
【０００３】
地中で生息する生物（以後本生物と呼ぶ）が、本シートの遠赤外線効果の暖かさと・マイナスイオン効果を好み、畑を本シートで覆うことで、本生物はシートの内側を住処にして、地上の植物に害を与えない。地下で育つ根菜などの樹液を吸引する能力が無いため、根菜に害は与えない。
【特許文献１】特願２００１−２１１９０８
【特許文献２】特願２００１−３８４４４５
【特許文献３】特願２００２−１８０３７２
【発明の開示】
【発明が解決しようとする課題】
【０００４】
解決しようとしている問題点は、地中に棲む多くの微生物、害虫の幼虫が地中に棲む虫に付いて植物の茎、葉に付くことを避けられる。その効果がアブラムシ、ヨトウムシ、カイガラムシの被害が避けられるため害虫を除去するための消毒が不要になる。
【課題を解決するための手段】
【０００５】
遠赤外線効果には、植物の根の発育促進効果がある。その為、丈夫な茎が育ち空気中の菌にも強くなる
【発明の効果】
【０００６】
本発明は、遠赤外線効果・マイナスイオン効果が地中で生息する虫（蟻・ダンゴムシ・ゲジゲジ・コウロギ・ナメクジ他多生物）が、本シートの内側を好み本シートの内側が住処となり、植物に害をもたらすアブラムシ・ヨトウムシ・カイガラムシ等の害が植物の茎、幹、葉に付着することを防ぐことが出来る。そのため、アブラムシ・ヨトウムシ・カイガラムシの消毒が不要になる。又、遠赤外線効果には、植物の根の発育促進効果があるため丈夫な根が育ち、自然環境に強い植物が育つため猛暑、冷害に強い植物が育つ。
【０００７】
本発明は、地球の環境対策に約立つ。
【０００８】
本発明は、遺伝子組み替え植物の危険性を避けることが出来る。
【発明を実施するための最良の形態】
【０００９】
本シートを使用するときの最良の形態は、空気に触れる場所で使う。
【実施例１】
【００１０】
野菜つくりに使用するときは、肥料を入れ耕した畝本シートを覆い被せる。苗、種を植える個所のシートをカッターで切る。その個所へ苗、種を定植する。本シートの裏側が虫の住処になる。
【００１１】
樹木に使用するときは、木の幹に本シートを帯状に巻く。本シートの内側が虫の棲家になる。
【産業上の利用可能性】
【００１２】
野菜作り、花作り、樹木の育樹に問題となる、アブラムシ、カイガラムシ、ヨトウムシ、ナメクジ等の害虫を運ぶ役割をする地中で生息する虫が、シートの裏が住処になるため、植物に害を与える虫たちをその場所で止めてしまう。その為、アブラムシ、カイガラムシ、ヨトウムシなど地中に棲む害虫が植物につかなくなる。その効果が、殺虫のために使用される、農薬などの使用を減少させられる。
【図面の簡単な説明】
【００１３】
【図１】畑の畝の使用方法を上から見た図である。（実施例１）
【図２】畑の畝の使用方法断面図である。（実施例２）
【図３】樹木の使用方法である。（実施例３）
【符号の説明】
【００１４】
１    畑の畝
２    本シート
３    本シートの上に土をかける
４    本シートの上に石など錘を置く
５    本シートを苗に合わせて切り口を作る
６    本シートの切り口に苗を定植する
７    樹木に本シートを巻く
【図１】
2005185131.tif 000003
【図２】
2005185131.tif 000004
【図３】
2005185131.tif 000005
(57)【要約】【課題】  作物の成長をより促すことができるようにしする。【解決手段】  施肥装置２と、深掘り及び広堀り可能に形成した作条砕土装置５を同一走行台１に配設した。【選択図】        図１
2005185198.tif 000002
【特許請求の範囲】
【請求項１】
施肥装置と、深掘り及び広堀り可能に形成した作条砕土装置を同一走行台に配設したことを特徴とする施肥兼作条砕土装置。
【発明の詳細な説明】
【技術分野】
【０００１】
この発明は作物の成長をより促すことができるようにした施肥兼作条砕土装置に関するものである。
【背景技術】
【０００２】
例えばジャガイモの播種及びビートの移植においては一般に圃場に対して事前に耕起、砕土整地を行い、その後、砕土された作条に施肥が行われている。すなわち作物の成長を促すためには、圃場の土を砕く等して柔らかくする必要がある。したがってこのこと、すなわち砕土は現在も一般い行われているところである。
【０００３】
そして前記の状態において、ジャガイモを播種する場合には、カットされたジャガイモ種をプランター装置に取り付けられているホッパーに投入し、これを略Ｖ字状に形成した溝付け機で圃場に直線状の作条を形成し、この作条内に播種されるのであった。
【０００４】
一方、ビートを移植する場合は、プランター装置に搭載されているコンベアーを用い、ビート苗を紙製の筒に入れ、人手によって前記コンベアーに並べるように乗せ、やがてこのコンベアーの端部から自重によって落下せしめると、前記筒が起立した状態で圃場につきささるように、移植されるのである。
【０００５】
ところが前記圃場における作条は、せいぜい１５〜２０ｃｍ程度の深さに行われていた。この深さについては播種及び移植時においては十分な深さであるので、それを根拠に経験則で行われていたのであったが、成長に応じて大きくなるジャガイモ又はビートの形状を考慮したものとは言い得ないものであった。
【０００６】
すなわちジャガイモやビートは、徐々に成長するのではあるが、砕土層の下方に硬い土層が存在するため、砕土層中では順調な成長するものの、硬い層に達すると、それ以上の成長は阻止されることになるのである。
【発明の開示】
【発明が解決しようとする課題】
【０００７】
解決しようとする課題は、ジジャガイモやビートの成長を可及的に促すようにした点である。
【課題を解決するための手段】
【０００８】
そこでこの発明に係る施肥兼作条砕土装置は前記の課題を解決するために、施肥装置と、深掘り及び広堀り可能に形成した作条砕土装置を同一走行台に配設したものである。
【発明の効果】
【０００９】
前記のようにこの発明に係る施肥兼作条砕土装置によれば、施肥装置と、深掘り及び広堀り可能に形成した作条砕土装置を同一走行台に配設してあるので、土と肥料の混和と及び砕土によって、ジャガイモ等の作物の成長を可及的に促すという効果を有するのである。
【発明を実施するための最良の形態】
【００１０】
作物の成長を可及的に促すことができる。
【実施例１】
【００１１】
次にこの発明に係る施肥兼作条砕土装置の実施例を図面に基づいて述べると、１はトラクター等の走行装置によって牽引される走行台であり、２はこの走行台１に配設した施肥装置である。この施肥装置２は肥料収納用タンク３と、この肥料収納用タンク３に連通するパイプ４から構成されている。
【００１２】
５は作条砕土装置であり、この作条砕土装置５は、深掘り及び広堀り可能に形成してある。このように深掘り及び広堀り可能に砕土するためには、例えば円形盤の外方に向けた長い爪状のスパイクを配設したスパイクドローター（ｓｐｉｋｅｄ  ｒｏｔｅｒ）を用いることができる。
【００１３】
しかして前記走行台１をトラクターで牽引しつつ作条砕土装置５を回転せしめながら圃場を移動せしめ、一方、その過程で肥料収納用タンク３からパイプ４を経由しつつ肥料を前記作条内に散布する。また、形成された作条内に播種又は移植を行うのである。
尚、前記作条砕土装置５によって砕土すると、その土は細かく砕かれ、圃場土としては誠に好ましいのであるが、降雨に際しては泥状をなすこともある。この場合、降った雨が圃場土から早めの水はけを可能にするために、前記走行台１における作条形成位置に下方に向けて心土刃を配設することもある。
【産業上の利用可能性】
【００１４】
この発明に係る施肥兼作条砕土装置は、施肥装置と、深掘り及び広堀り可能に形成した作条砕土装置を同一走行台に配設したことにより砕土層を深くかつ広く形成することができ、その結果、作物の成長に際し、これらに硬い土層による圧力を掛けることなく、さらに肥料と土の混和も同時に行われ、かつ肥効は非常によく、作物の成長を促進することができ、産業上の利用可能性は非常に高いものとなるのである。
【図面の簡単な説明】
【００１５】
【図１】この発明に係る施肥兼作条砕土装置の正面図である。
【図２】この発明に係る施肥兼作条砕土装置に使用可能なスパイクドローターの斜視図である。
【符号の説明】
【００１６】
１  走行台
２  施肥装置
３  肥料収納用タンク
４  パイプ
５  作条砕土装置
【図１】
2005185198.tif 000003
【図２】
2005185198.tif 000004
(57)【要約】【課題】  風味が良く飲みやすいラーメンスープ及びラーメンを提供する。【解決手段】  ラーメン１は、焼き干しした鮎を煮込んだスープに鮎の骨から取っただし汁を加えてなるラーメンスープ３に茹でた麺４を加え、調味料２として塩、酒の他に鮎の脂を使用する。また、具として海苔、葱などの他に一夜干しにした鮎を用いて完成し、提供される。【選択図】  図１
2005185196.tif 000002
【特許請求の範囲】
【請求項１】
焼き干しにした鮎を加えて煮込んだスープと、鮎の骨のだし汁とを含む
ことを特徴とするラーメンスープ。
【請求項２】
調味料として鮎の脂を加えた
ことを特徴とする請求項１記載のラーメンスープ。
【請求項３】
請求項１または２のいずれかに記載のラーメンスープに麺を浸してなる
ことを特徴とするラーメン。
【請求項４】
前記麺またはラーメンスープの上に一夜干しにした鮎を載せてなる
ことを特徴とする請求項３記載のラーメン。
【請求項５】
スープ入り袋と、麺と、具とをインスタントラーメンまたはカップラーメンのいずれかの形態で提供可能とした
ことを特徴とする請求項３または４いずれか１項記載のラーメン。
【発明の詳細な説明】
【技術分野】
【０００１】
本願発明は、スープの風味及びうまみを改善して飲みやすくしたラーメンスープ及びラーメンに関する。
【背景技術】
【０００２】
ラーメンは、鶏肉、魚、野菜等を長時間煮込みで作成したスープに、塩、酒等の調味料を添加してなるラーメンスープに、茹でた中華麺を加え、チャーシューやメンマ等の具を載せて作られる。したがって、ラーメンスープは、ラーメンの味を決定する重要な要素であり、日本全国各地で様々な特徴をもつラーメンが提供されている上、各ラーメン店でも独自の工夫をして味を競い合っている。また、ラーメンスープに関する先行技術としては、特開２００２−２６２８３４がある。
【特許文献１】特開２００２−２６２８３４号公報
【発明の開示】
【発明が解決しようとする課題】
【０００３】
ところで、鮎は香魚ともいわれているほど肉に香気があるが、まだラーメンスープ及びラーメンの具としては一般に使用されておらず、競争の激しいラーメンの分野においては目新しく、好ましい食材であった。
【０００４】
しかしながら鮎をそのまま用いると、魚の生臭さが解消されず、おいしいラーメンスープや具にはならないという問題があった。
【０００５】
本発明は、上記事情に鑑みてなされたものであり、その目的とするところは、鮎を利用して風味の良いラーメンスープ及びラーメンを提供することにある。
【課題を解決するための手段】
【０００６】
上記目的を達成するために、本願の請求項１に係る発明は、ラーメンスープの原材料として焼き干しした鮎と鮎の骨とを用いている。これにより、魚の生臭さを取り除き、鮎独特の香りとうまみとを有し、飲みやすいラーメンスープを提供することができる。
【０００７】
また、請求項２に係る発明は、請求項１のラーメンスープに鮎の脂を加えている。これにより、コクのあるラーメンスープを提供することができる。
【０００８】
また、請求項３及び４に係る発明は、請求項１及び２に記載のラーメンスープに麺及び一夜干しにした鮎の具を加えている。これにより、スープだけではなく具としても鮎を味わうことができる。
【０００９】
また、請求項５に係る発明は、スープ入り袋と、麺と、具とをインスタントラーメンまたはカップラーメンのいずれかの形態で提供可能としている。これにより、家庭や仕事場など店頭以外の場所でもスープや具に鮎を用いたラーメンを食べることができる。
【発明の効果】
【００１０】
以上詳述したように、本願発明によれば、焼き干しした鮎及び鮎の骨を用いてスープが透明で見た目はすっきりしていて、香りが良くしかも鮎独特のうまみもあり、スープとして飲んでも十分に味わうことのできるラーメンスープを作ることができる。
【００１１】
また、鮎の脂を用いているので、健康によく、コクのあるラーメンスープを作ることができる。
【００１２】
また、一夜干しにした鮎を具にすることで、見た目にも口の中でも鮎を味わうことができ、顧客満足を高めることができる。
【００１３】
また、店頭だけではなく、インスタントラーメンやカップラーメンの形でも提供できるので、より多くの人に味わってもらうことができる。
【発明を実施するための最良の形態】
【００１４】
以下、本発明の実施形態について図面を参照しながら説明する。図１は、本発明に係るラーメンスープ及びラーメンである。ラーメン１は、器１０内に適量の調味料２を加え、さらにラーメンスープ３、茹でた麺４を入れ、最後に具５を載せて完成され、来店した顧客に提供される。
【００１５】
調味料２は、鍋に酒を入れて火にかけ、水分を蒸発させたものに塩を加えて作られる。また、この塩と酒とは別に、調味料２としては鮎を油で揚げて得られた鮎の脂が加えられる。
【００１６】
ラーメンスープ３は、円柱形の大型の鍋に水、鶏肉、野菜を入れ、これに一夜干しにした鮎を加えて８時間ほど煮込んだスープと魚のだし汁を加えることにより作られる。魚のだし汁は鮎の骨及びトマト等の野菜から取ったヒュメ・ド・ポワソンと呼ばれるものからなり、上記スープの煮込みの途中、仕上がりの１から２時間前にスープに加えられる。この魚のだし汁は上記スープ１０リットルに対して４００ＣＣ程度を加えることが好ましい。
【００１７】
麺４はラーメンスープ３にあわせ、極細の縮れ麺を使用するが、一般的な中華麺であればどれでも利用可能である。
【００１８】
具５としては、細切りにした葱、蓼の葉、海苔の他に、一夜干しにした鮎を炙って香ばしい香りを持たせたものを用いる。具５として載せられる鮎は頭から食べられる程に柔らかいものを使用するので、そのまま一尾を載せても、或いは食べやすい形に切って具として載せることも可能である。
【００１９】
上記のようにして製造されたラーメンスープ３は、調味料２を入れた容器１０に入れられる。その後茹でた麺４を水切りをして載せ、その上に、具５を見栄え良く盛りつけて完成される。
【００２０】
なお、ラーメンスープ３は、図２に示すように一般的な濃縮方法により濃縮して希釈用タレの形態として小袋に密封して、あるいは乾燥により粉末の状態にして袋詰めして、インスタントラーメン、あるいは図示しないカップラーメン等ととして提供することも可能である。
【００２１】
なお、本実施形態においては、ラーメンスープ３及び魚のだし汁だけではなく、具としても鮎を味わえるように具５に一夜干しにした鮎を炙ったものを加えたが、一般的なラーメンのようにチャーシューや卵、メンマ等を用いてもよい。
【図面の簡単な説明】
【００２２】
【図１】ラーメンの斜視図
【図２】インスタントラーメンの斜視図
【符号の説明】
【００２３】
１…ラーメン，３…ラーメンスープ，４…麺。
【図１】
2005185196.tif 000003
【図２】
2005185196.tif 000004
(57)【要約】【課題】使い捨てケージの洗浄作業を省略できる便利さを維持しながら、げっ歯類動物にかじられて穴が開き逃亡されてしまうことを防止できるげっ歯類飼育用使い捨てケージを提供する。【解決手段】内側に、紙製又は樹脂製の使い捨てケージ部分３を設けられる。外側に、げっ歯類のかじりに耐えられるケージ本体部分７を設ける。使い捨てケージ部分３と、前記ケージ本体部分７とは、ともに上部が開放された箱状であり、この上部には金網製の蓋９が配置される。【選択図】図1
2005185189.tif 000002
【特許請求の範囲】
【請求項１】
内側に設けられる紙製又は樹脂製の使い捨てケージ部分と、この使い捨てケージ部分の外側に設けられ、げっ歯類のかじりに耐えられるケージ本体部分と、を有してなることを特徴とするげっ歯類飼育用使い捨てケージ。
【請求項２】
前記使い捨てケージ部分と、前記ケージ本体部分とは、ともに上部が開放された箱状であり、この上部には金網製の蓋が配置されることを特徴とする請求項１に記載のげっ歯類飼育用使い捨てケージ。
【発明の詳細な説明】
【技術分野】
【０００１】
この発明は、マウスやラットなどのげっ歯類飼育用ケージの構造に関する。
【背景技術】
【０００２】
例えば実験動物のマウス、ラット、ハムスターなどのげっ歯類飼育用ケージには、使い捨てケージがある。使い捨てケージは紙製などで、通常の飼育用ゲージと同様に内部に床敷をしいて用いる。そして動物の糞尿で汚れた床敷ごと使い捨てケージを廃棄することで、飼育用ゲージの洗浄作業を省略できる。
【発明の開示】
【発明が解決しようとする課題】
【０００３】
しかしながら、上記の使い捨てケージは、焼却処分を可能にするために、紙製又は樹脂製で肉厚を薄くしている。このために、げっ歯類動物のかじりに弱く、かじられて穴が開き逃亡してしまうこともある。
この発明は、以上の問題点を解決するために、ケージの洗浄作業を省略できる便利さを維持しながら、げっ歯類動物にかじられて穴が開き逃亡されてしまうことを防止できるげっ歯類飼育用使い捨てケージを提供することを目的とする。
【課題を解決するための手段】
【０００４】
以上の課題を解決するために、第一発明は、内側に設けられる紙製又は樹脂製の使い捨てケージ部分と、この使い捨てケージ部分の外側に設けられ、げっ歯類のかじりに耐えられるケージ本体部分と、を有してなることを特徴とするげっ歯類飼育用使い捨てケージである。
第二発明は、さらに、前記使い捨てケージ部分と、前記ケージ本体部分とは、ともに上部が開放された箱状であり、この上部には金網製の蓋が配置されることを特徴とする請求項１に記載のげっ歯類飼育用使い捨てケージである。
【発明の効果】
【０００５】
第一、又は第二発明によれば、使い捨てケージ部分とケージ本体部分の二重構造にすることで、糞尿による汚染は内側の使い捨てケージ部分で受け、よってケージの洗浄作業を省略できるとともに、外側のケージ本体部分でげっ歯類動物のかじりに耐えるので、かじられて穴が開き逃亡されてしまうことを防止できる
また、使い捨てケージ部分は、汚染を受け止めるだけの厚さがあればよく、従来の使い捨てケージよりも厚さを薄くでき、コストを抑えることができる。また、厚さを薄くできるので、焼却処分を容易に出来る。
【発明を実施するための最良の形態】
【０００６】
この発明の実施形態を、図１及び図２に示す。
この実施形態のげっ歯類飼育用使い捨てケージ１は、全体は上部が開放された箱状をなす。この箱状の内側には、紙製の使い捨てケージ部分３が配置される。使い捨てケージ部分３の厚さは、糞尿による汚染を受け止め、汚染が染み出て外側のケージ本体部分７を汚さない厚さとする。底部には、床敷５として、紙片、木屑などが敷かれる。図１に示すように使い捨てケージ部分３は、ケージ本体部分７の内側の形状に密着するように、成形されている（図１（Ｂ））。
【０００７】
この使い捨てケージ部分３の外側には、げっ歯類動物６のかじりに耐えられるケージ本体部分７が配置される。材質は、プラスチックである。もっとも、その他に、ステンレス、あるいは透明アクリル樹脂などが採用できる。材質により、かじりに耐えられる厚さは異なる。
【０００８】
箱状の上部には、金網製の蓋９が配置される。金網製の蓋９は、概略長方形で、周囲に、箱状の縁部１０に係止するフランジ部分１１を有し、略中央に、給水瓶１３などを置くことができる凹部１５を有する。この凹部１５は、蓋９の長手方向に連続する長い傾斜部分１７と短い傾斜部分１８からなり、両傾斜部分は略９０度の角部１９を形成する。凹部１５の横方向は、ケージ１の内側に密着するので、金網部分は存在しない。給水瓶１３は、この凹部１５の長い傾斜部分１７に置かれ、角部１９側に先端を向け、先端に設けられる筒状の飲み口２１が、短い傾斜部分１８の金網の隙間から、内部に突出され、げっ歯類動物６への給水がなされる。このように給水瓶１３を置くための凹部１５を設けることで、給水瓶１３が邪魔にならずにケージ１を何段にも重ねて使用することができる。
【０００９】
「実施形態の効果」
この実施形態によれば、使い捨てケージ部分３とケージ本体部分７の二重構造にすることで、糞尿による汚染は内側の使い捨てケージ部分３で受け、よってケージ１の洗浄作業を省略できる。また同時に、外側のケージ本体部分７でげっ歯類動物６のかじりに耐えるので、かじられて穴が開き動物に逃亡されてしまうことを防止できる。
また、使い捨てケージ部分３は、汚染を受け止めるだけの厚さがあればよく、従来の使い捨てケージ１よりも厚さを薄くできる。よって、コストを抑えることができる。また、焼却処分を容易に出来る。
【００１０】
「他の実施形態」
図１の実施形態では、ケージ１は上部が開放された形状であったが、他の実施形態では、他の形状でもかまわない。例えば、上部の一部のみが開放された形状でもよい。この一部の開放部分には、金網製の蓋が設けられる。
【図面の簡単な説明】
【００１１】
【図１】この発明の一実施形態を示すもので、（Ａ）はケージの縦断面図、（Ｂ）は（Ａ）のうちの使い捨てケージ部分の斜視図である。
【図２】図１（Ａ）の全体外観の斜視図である。
【符号の説明】
【００１２】
１…ケージ、３…使い捨てケージ部分、５…床敷、６・・・げっ歯類動物、７…ケージ本体部分、９…蓋、１１…フランジ部分、１３…給水瓶、１５…凹部、１７…長い傾斜部分、１８・・・短い傾斜部分、１９…角部、２１…飲み口。
【図１】
2005185189.tif 000003
【図２】
2005185189.tif 000004
(57)【要約】【課題】  ひらめ、かれい等の扁平状活魚類の多量を移送効率よく移送するための活魚移送袋の構成の簡易化とその反覆使用を容易にするための保管、運搬を容易にする。【解決手段】  断熱性移送容器内に収納する柔軟性の魚類収容袋２内に柔軟性があり、かつ通水孔４を有する仕切片３を水平方向に設けて袋２内を上下複数に区分し各区分部毎に扁平状の活魚投入孔５を形成し、各区分毎に海水と共にひらめ、かれい等の扁平状活魚類を分離密封して収容すると共に搬送後の魚類収容袋２の折畳み収納を容易にして反復使用を容易にする。【選択図】        図１
2005185141.tif 000002
【特許請求の範囲】
【請求項１】
柔軟性材質よりなる魚類収容袋内に柔軟性のある水平方向の仕切片を一体的に固着して袋内を上下複数に区分し、各仕切区分部毎に密封可能の扁平状の活魚投入孔を形成すると共に各仕切片に通水孔を穿設したことを特徴とする活魚移送袋。
【請求項２】
仕切片に支持杆を装着したことを特徴とする請求項１記載の活魚移送袋。
【請求項３】
魚類収容袋の上部に密閉自在の酸素供給孔と注排水孔を設けたことを特徴とする請求項１又は２何れか記載の活魚移送袋。
【発明の詳細な説明】
【技術分野】
【０００１】
本発明は活魚特にひらめ、かれい等の扁平魚類を活きたまま収容して断熱容器内に収納して搬送する活魚移送袋に関する。
【背景技術】
【０００２】
最近は高級魚類を生きたまま直接客に提供することが珍重され、ひらめ、かれい等の高級魚類を産地から活魚のまま消費地に移送することが行なわれている。
【０００３】
この移送手段としては、これら扁平活魚を魚類移送袋に収容して酸素を充填して断熱性移送容器に収納し、主として空輸等の手段で迅速短時間に搬送しているのが現状である。
【０００４】
この改善策として本発明は先に断熱性移送容器内に収納できる魚類収容袋内にその内部を多段状に仕切部材を設け、活魚が重なり疲弊損傷しないようにして搬送することを開発した。
【特許文献１】特願２００２−１８５８３０号
【発明の開示】
【発明が解決しようとする課題】
【０００５】
しかしながらこの魚類移送袋は仕切部材をその都度魚類収納袋内に内装組立てなければならない手間と反復使用する場合の保管及び運搬も面倒である等の問題があるため、本発明はこれを更に改善してこれに使用する活魚移送袋の構成の簡易化と再度使用時の保管及び運搬を容易にしてその使用価値を向上するようにしたものである。
【課題を解決するための手段】
【０００６】
本発明は前記目的を達成するために、柔軟性材質よりなる魚類収容袋内に柔軟性のある水平方向の仕切片を一体的に固着して袋内を上下複数に区分し、各仕切区分部毎に密封可能の扁平状の活魚投入孔を形成すると共に各仕切片に通水孔を穿設したことを特徴とするものであり、前記仕切片には扁平活魚が直接密接しないように支持杆を装着することにより、その運搬移送中の活魚の疲弊損傷を一層効率よく防止することができ、また魚類収容袋の上部には密閉自在の酸素供給孔と注排水孔とを設けることにより、移送中における酸素の補給及び水の交換補給を容易にして更に長時間の運搬を可能にすることができる。
【発明の効果】
【０００７】
本発明の魚類収容袋は、その内部を柔軟性のある仕切片で水平方向に複数に区分して各仕切区分部に扁平魚類を収容するようにしたので、移送搬送中における上下魚類同士の重合圧迫による疲弊消耗を可及的に防止しながら多量の扁平活魚類の長時間の搬送を可能にしてその品質及び歩留りの向上を図ることができると共に魚類収容袋自体がその柔軟性により縮小及び折畳みできることにより、再度の反復使用及びそのための保管又は運搬が容易であり、更に魚類収容袋の各区分毎に扁平状の活魚投入孔を形成したので、活魚の収容及び取出しも迅速容易にできると共にその密封手段も簡易に行なうことができる。
【０００８】
また本発明において仕切片に着脱自在又は一体に支持杆を装着したときは、扁平活魚類の仕切片への密着を防止すると共に海水及び酸素の流通も促進でき、活魚移送中の活魚の損傷疲弊を一層有効に防止することができる。
【０００９】
更に魚類収容袋に密閉自在の酸素供給孔及び注排水孔を設けたときには、活魚収容時及び搬送中の酸素及び海水の補給操作を迅速容易にでき、扁平活魚類の搬送作業を一層有効かつ効率よく行うことができる。
【発明を実施するための最良の形態】
【００１０】
本発明の実施の態様を図面の実施例について説明すると、直方体状の発泡スチール等の断熱性容器１に収容できるような大きさに形成された塩化ビニール等の柔軟性で折畳可能な魚類収容袋２には、袋２と同一又は異なる材質の柔軟性のある１乃至複数の仕切片３が水平方向に設けられ、収容袋２内を上下複数に区分すると共に前記各仕切片３には通水孔４が穿設され、更に前記仕切片３によって区分された収容袋２には夫々密封可能の扁平状の活魚投入孔５が形成されている。
【００１１】
しかして前記魚類収容袋２を仕切片３で上下複数に区分する手段及び扁平状の活魚投入孔５の形成手段としては、図面の実施例では複数の袋２′・２′の互いの上下面を一体に接着して該接着部によって仕切片３を形成し、該仕切片３に通水孔４を穿設し、各袋２′・２′の一側に扁平状の活魚投入孔５・５を一体的に形成しているが、魚類収容袋２内に同質又は異なる材質の通水孔４を穿設した柔軟性仕切片３水平方向に固着して複数に区分することもできる。
【００１２】
また前記活魚投入孔５に設ける密封手段は、その扁平部に簡易に着脱かつ密着できるクリップ６で行なうものであり、そのクリップ６は図面においては硬質パイプ７とこれに密嵌できる切割溝８′を有する弾力性緊締パイプ８とで構成し、活魚投入孔５の扁平部を硬質パイプ７に巻着し、その外部に緊締パイプ８を切割溝８を利用して着脱自在に嵌着して扁平部を密封する方式が示されている。
【００１３】
また前記魚類収容袋２の上部には夫々密閉自在に逆止弁を有する酸素供給孔９と注排水孔１０とが設けられており、更に前記仕切へ３の上面には接着テープその他の手段で着脱自在に又は仕切片３と一体的に支持杆１１を数条装着することによって収容した活魚が直接仕切片３に密接しないようにすると一層好ましい。
【００１４】
本発明の実施例は上記のように構成されているので、活魚産地において、断熱性容器１内の魚類収容袋２の各区分部に下から所要数の活魚と海水を夫々の活魚投入孔５を介して収納して、その扁平部をクリップ６で密封した後、酸素供給孔９から酸素を充填して断熱容器１を図示されていない断熱性蓋で閉じ、航空機、その他で所要地に搬送するものである。
【図面の簡単な説明】
【００１５】
【図１】本発明の斜視図である。
【図２】本発明の一部切欠平面図である。
【図３】本発明の使用状態の縦断側面図である。
【図４】本発明のクリップ部の断面図である。
【符号の説明】
【００１６】
１    断熱性容器
２    魚類収容袋
３    仕切片
４    通水孔
５    活魚投入孔
６    クリップ
７    硬質パイプ
８    緊締パイプ
８′  切割溝
９    酸素供給孔
１０  注排水孔
１１  支持杆
【図１】
2005185141.tif 000003
【図２】
2005185141.tif 000004
【図３】
2005185141.tif 000005
【図４】
2005185141.tif 000006
(57)【要約】  【課題】中高圧用アルミニウム電解コンデンサ用陽極箔の漏れ電流低減に効果のある化成方法を提供する。  【解決手段】エッチングされたアルミニウム箔に陽極酸化皮膜を形成するアルミニウム電解コンデンサ用陽極箔の製造方法において、  陽極酸化皮膜形成工程の前段で、濃度０．１〜３０．０ｗｔ％のエチレングリコール水溶液中にて、温度８０〜１００℃で、水和処理を行うことを特徴とするアルミニウム電解コンデンサ用陽極箔の製造方法である。  【選択図】なし。【特許請求の範囲】
【請求項１】
エッチングされたアルミニウム箔に陽極酸化皮膜を形成するアルミニウム電解コンデンサ用陽極箔の製造方法において、
陽極酸化皮膜形成工程の前段でエチレングリコール水溶液による水和処理を行うことを特徴とするアルミニウム電解コンデンサ用陽極箔の製造方法。
【請求項２】
請求項１記載のエチレングリコール水溶液中のエチレングリコール濃度が０．１〜３０．０ｗｔ％であることを特徴とするアルミニウム電解コンデンサ用陽極箔の製造方法。
【発明の詳細な説明】
【技術分野】
【０００１】
本発明は、アルミニウム電解コンデンサ用陽極箔（以下、陽極箔と称す）の化成（陽極酸化）方法に関するものであり、特に中高圧用陽極箔の漏れ電流低減に効果のある化成方法に関するものである。
【背景技術】
【０００２】
従来、中高圧用陽極箔は、エッチングされたアルミニウム箔を高温純水中で水和処理した後、リン酸、ホウ酸等の水溶液中で、一定の電圧を印加して化成処理を行い、所定の化成電圧まで到達した後、酸またはアルカリ水溶液中への浸漬、および４５０〜５５０℃で数分間放置する熱処理による減極処理を行って、漏れ電流の原因となる酸化皮膜中のボイド、クラック等を露呈させ、さらに修復化成を繰り返すことにより、所望の陽極酸化皮膜を形成している（非特許文献１参照）。
【０００３】
【非特許文献１】「電解液陰極アルミニウム電解コンデンサ（アルミニウム乾式電解コンデンサ増補改訂版）」永田伊佐也著、日本蓄電器工業株式会社出版、１９９７年９月２４日  第２版第１刷、ｐ．３１１〜３１４
【発明の開示】
【発明が解決しようとする課題】
【０００４】
アルミニウム箔を高温純水中で水和処理すると、アルミニウム箔表面に疑似べーマイト皮膜が形成される。
疑似べーマイト皮膜形成後、化成処理を行うことで疑似べーマイト皮膜が結晶性アルミニウム酸化皮膜へ転移するが、この時皮膜の体積が減少するため、酸化皮膜中にボイドやクラックを形成する。
このボイドやクラックを除去するため減極処理を行う。
漏れ電流を低減するためには、減極処理を強くする必要があるが、修復化成でも皮膜の結晶化が進むため、この方法ではアルミニウム電解コンデンサ用陽極箔の漏れ電流を低減させるのに限度があり、最近、特に要望されているアルミニウム電解コンデンサのより一層の高性能化に応えることができない。
【０００５】
本発明はこのような事情に鑑みなされたもので、その課題は漏れ電流をより低減することができるアルミニウム電解コンデンサ用陽極箔の製造方法を提供することにある。
【課題を解決するための手段】
【０００６】
本発明は、上記課題を解決するもので、エッチングされたアルミニウム箔に陽極酸化皮膜を形成するアルミニウム電解コンデンサ用陽極箔の製造方法において、陽極酸化皮膜形成工程の前段で、エチレングリコール水溶液による水和処理を行うことを特徴とするアルミニウム電解コンデンサ用陽極箔の製造方法である。
【０００７】
また、上記のエチレングリコール水溶液中のエチレングリコール濃度が０．１〜３０．０ｗｔ％であることを特徴とするアルミニウム電解コンデンサ用陽極箔の製造方法である。
【発明の効果】
【０００８】
本発明では、陽極酸化皮膜形成の前段で、エチレングリコール水溶液による水和処理を行うことにより、水和皮膜中にエチレングリコールが取り込まれ、化成皮膜の結晶を小さくすることができると考えられ、その結果、漏れ電流を大幅に低減したアルミニウム電解コンデンサ用陽極箔を製造することができる。
【発明を実施するための最良の形態】
【０００９】
以下、本発明の実施例について説明する。
面積比３０倍にエッチング処理されたアルミニウム箔を、表１に示す濃度のエチレングリコール水溶液中にて、液温９０±２℃で５分間浸漬し、水和皮膜を形成した（実施例１〜９）。
このアルミニウム箔を比抵抗４５０Ω・ｃｍ、ｐＨ６．５に調整したリン酸アンモニウム水溶液中にて、液温８５±２℃で３００Ｖまで化成電圧を上昇させ、同電圧を１５分間保持した。
そして、５５０℃２分間の熱処理、３．０ｗｔ％リン酸水溶液の７０℃５分間の浸漬による減極処理を行った後、修復化成を上記リン酸アンモニウム水溶液で数回行った。
また、従来例として、上記のエチレングリコール水溶液を使用せず、純水により水和皮膜を形成したものについても、上記と同様、化成、減極処理を行った。
【００１０】
上記の実施例１〜９および従来例の化成済アルミニウム箔について、３００Ｖの電圧を印加して３分後の漏れ電流値、および静電容量を測定し、表１の結果を得た。
なお、試料数は各々１０個とした。
【００１１】
【表１】
2005175330.tif 000002
【００１２】
表１より明らかなように、実施例２〜８では、従来例に比べて漏れ電流が低減しており、また、静電容量は従来例と同等である。
ただし、エチレングリコール水溶液の濃度が０．０５ｗｔ％では漏れ電流の低減効果が小さく（実施例１）、４０．０ｗｔ％では静電容量の減少が著しくなる（実施例９）。よって、エチレングリコール水溶液の濃度は０．１〜３０．０ｗｔ％の範囲が適している。
さらに、エチレングリコール水溶液の温度は８０〜１００℃の範囲が適当である。８０℃を下回ると反応速度が低下し、また、１００℃を超えると水の蒸発が著しく、液の組成の制御が困難になるため、好ましくない。